(57)【要約】      （修正有）【課題】発光アセンブリの発光面が天井の縁と面一になり、照明効果を改善できるシーリングランプを提供する。【解決手段】ランプホルダーアセンブリ１と、発光アセンブリ２と、回転位置決め機構３と、を含み、回転位置決め機構は、ホルダーアセンブリと発光アセンブリとの間に設けられ、ホルダーアセンブリにより発光アセンブリが天井に取り付けられる。回転位置決め機構は位置決め部材３１と、回動スライドレール３２と、を含む。位置決め部材はホルダーアセンブリに接続され、回動スライドレールは発光アセンブリに接続され、回動スライドレールの周方向にスライド溝が開設され、位置決め部材は、回動スライドレールと位置決め部材との間が回動できるように、スライド溝内に接続される。発光アセンブリを回動させて、発光面が天井の縁と平行になるまで角度調節を行う。【選択図】図２
0003229479.tif 000002
【実用新案登録請求の範囲】
【請求項１】
ランプホルダーアセンブリ及び発光アセンブリを含むシーリングランプであって、前記シーリングランプは、回転位置決め機構をさらに含み、前記回転位置決め機構は、前記ランプホルダーアセンブリと前記発光アセンブリとの間に設けられ、前記回転位置決め機構は、
前記ランプホルダーアセンブリに接続される位置決め部材と、
回動スライドレールであって、前記発光アセンブリに接続され、前記回動スライドレールの周方向にスライド溝が開設され、前記位置決め部材は、前記回動スライドレールと前記位置決め部材との間が前記スライド溝を介して相対的に回動できるように、前記スライド溝内にスライド可能に接続される回動スライドレールと、を含むことを特徴とするシーリングランプ。
【請求項２】
前記回動スライドレールは、
位置決め溝であって、前記回動スライドレールに開設され、かつ前記位置決め溝は前記スライド溝と連通しており、前記位置決め溝の形状は前記位置決め部材の形状に合わせ、前記位置決め部材は、前記位置決め溝内に位置規制される位置決め溝を含むことを特徴とする請求項１に記載のシーリングランプ。
【請求項３】
前記回転位置決め機構は、
一端が前記発光アセンブリに接続され、他端が前記ランプホルダーアセンブリに当接するリセット部材をさらに含むことを特徴とする請求項２に記載のシーリングランプ。
【請求項４】
前記リセット部材はスプリングシート又は圧縮スプリングであることを特徴とする請求項３に記載のシーリングランプ。
【請求項５】
前記回動スライドレールにストッパ溝がさらに設けられ、前記ストッパ溝は前記スライド溝と連通しており、前記位置決め部材は前記ストッパ溝内に位置規制されることを特徴とする請求項１〜４のいずれか一項に記載のシーリングランプ。
【請求項６】
前記回動スライドレールの数は２つであり、２つの前記回動スライドレールは、前記ランプホルダーアセンブリと前記発光アセンブリとの間に対称的に分布しており、前記位置決め部材の数は２つであり、前記位置決め部材は前記回動スライドレールに１対１に対応することを特徴とする請求項５に記載のシーリングランプ。
【請求項７】
前記回動スライドレールは円弧状のプレート構造をしており、２つの前記回動スライドレールの前記スライド溝の円弧中心が一致していることを特徴とする請求項６に記載のシーリングランプ。
【請求項８】
前記ランプホルダーアセンブリは、
シート本体であって、前記シート本体は本体部及び前記本体部から前記発光アセンブリに向かって折り曲げられて延伸する２つの延伸部を含み、前記回動スライドレールは２つの延伸部の間隔に挿設され、前記位置決め部材は前記延伸部を貫通し、かつ前記回動スライドレールのスライド溝内にスライド可能に接続されるシート本体と、
前記本体部に穿設され、前記シート本体を取り付け位置に取り付けるために用いられる取り付け部材と、を含むことを特徴とする請求項１〜４のいずれか一項に記載のシーリングランプ。
【請求項９】
前記シーリングランプは、駆動アセンブリをさらに含み、前記駆動アセンブリは、前記回動スライドレールの、前記ランプホルダーアセンブリと背向する一端に係合され、前記リセット部材の端部は前記駆動アセンブリに接続され、前記発光アセンブリは、
前記駆動アセンブリの、前記ランプホルダーアセンブリと背向する一端に設けられ、かつ前記駆動アセンブリに固定的に接続される上部カバーと、
前記駆動アセンブリと前記上部カバーとの間に設けられ、かつ前記上部カバーに固定的に接続される導光プレートと、
前記導光プレートの内側に環設されるＬＥＤ光源と、を含むことを特徴とする請求項３又は４に記載のシーリングランプ。
【請求項１０】
前記駆動アセンブリは、
駆動ボックスであって、前記回動スライドレールの、前記ランプホルダーアセンブリと背向する一端に係合され、前記リセット部材の端部は前記駆動ボックスに固定的に接続される駆動ボックスと、
駆動プレートであって、前記駆動ボックス内に設けられ、前記駆動プレートは前記上部カバーに固定的に接続され、前記駆動プレートは前記ＬＥＤ光源と電気的に接続される駆動プレートと、を含むことを特徴とする請求項９に記載のシーリングランプ。
【考案の詳細な説明】
【技術分野】
【０００１】
本出願は、ランプの技術分野に属し、より具体的には、シーリングランプに関する。
【背景技術】
【０００２】
通常、シーリングランプはランプホルダーアセンブリ及び発光アセンブリを含み、ランプホルダーアセンブリを介して天井に取り付けられる。天井にランプホルダーアセンブリを取り付ける時にランプホルダーアセンブリの方向性を保証することができず、一定の角度偏差を形成し、さらに発光アセンブリを取り付けると、発光アセンブリの発光面が天井の縁と面一になりにくく、一定の角度偏差を形成し、それによりシーリングランプの取り付けの一貫性及びエリアの照明効果に影響を与える。
【考案の概要】
【考案が解決しようとする課題】
【０００３】
本出願の実施例の目的は、シーリングランプを取り付ける時に発光アセンブリの発光面が天井の縁と面一になりにくいという技術的問題を解決するように、シーリングランプを提供することである。
【課題を解決するための手段】
【０００４】
上記した目的を実現するために、本出願で採用される技術的解決手段は、シーリングランプを提供することであり、前記シーリングランプは、ランプホルダーアセンブリ及び発光アセンブリを含み、前記シーリングランプは、回転位置決め機構をさらに含み、前記回転位置決め機構は、前記ランプホルダーアセンブリと前記発光アセンブリとの間に設けられ、前記回転位置決め機構は、
前記ランプホルダーアセンブリに接続される位置決め部材と、
回動スライドレールであって、前記発光アセンブリに接続され、前記回動スライドレールの周方向にスライド溝が開設され、前記位置決め部材は、前記回動スライドレールと前記位置決め部材との間が前記スライド溝を介して相対的に回動できるように、前記スライド溝内にスライド可能に接続される回動スライドレールと、を含む。
【０００５】
好ましくは、前記回動スライドレールは、
位置決め溝であって、前記回動スライドレールに開設され、かつ前記位置決め溝は前記スライド溝と連通しており、前記位置決め溝の形状は前記位置決め部材の形状に合わせ、前記位置決め部材は、前記位置決め溝内に位置規制される位置決め溝を含む。
【０００６】
好ましくは、前記回転位置決め機構は、
一端が前記発光アセンブリに接続され、他端が前記ランプホルダーアセンブリに当接するリセット部材をさらに含む。
【０００７】
好ましくは、前記リセット部材はスプリングシート又は圧縮スプリングである。
【０００８】
好ましくは、前記回動スライドレールにストッパ溝がさらに設けられ、前記ストッパ溝は前記スライド溝と連通しており、前記位置決め部材は前記ストッパ溝内に位置規制される。
【０００９】
好ましくは、前記回動スライドレールの数は２つであり、２つの前記回動スライドレールは、前記ランプホルダーアセンブリと前記発光アセンブリとの間に対称的に分布しており、前記位置決め部材の数は２つであり、前記位置決め部材は前記回動スライドレールに１対１に対応する。
【００１０】
好ましくは、前記回動スライドレールは円弧状のプレート構造をしており、２つの前記回動スライドレールの前記スライド溝の円弧中心が一致している。
【００１１】
好ましくは、前記ランプホルダーアセンブリは、
シート本体であって、前記シート本体は本体部及び前記本体部から前記発光アセンブリに向かって折り曲げられて延伸する２つの延伸部を含み、前記回動スライドレールは２つの延伸部の間隔に挿設され、前記位置決め部材は前記延伸部を貫通し、かつ前記回動スライドレールのスライド溝内にスライド可能に接続されるシート本体と、
前記本体部に穿設され、前記シート本体を取り付け位置に取り付けるために用いられる取り付け部材と、を含む。
【００１２】
好ましくは、前記シーリングランプは、駆動アセンブリをさらに含み、前記駆動アセンブリは、前記回動スライドレールの、前記ランプホルダーアセンブリと背向する一端に係合され、前記リセット部材の端部は前記駆動アセンブリに接続され、前記発光アセンブリは、
前記駆動アセンブリの、前記ランプホルダーアセンブリと背向する一端に設けられ、かつ前記駆動アセンブリに固定的に接続される上部カバーと、
前記駆動アセンブリと前記上部カバーとの間に設けられ、かつ前記上部カバーに固定的に接続される導光プレートと、
前記導光プレートの内側に環設されるＬＥＤ光源と、を含む。
【００１３】
好ましくは、前記駆動アセンブリは、
駆動ボックスであって、前記回動スライドレールの、前記ランプホルダーアセンブリと背向する一端に係合され、前記リセット部材の端部は前記駆動ボックスに固定的に接続される駆動ボックスと、
駆動プレートであって、前記駆動ボックス内に設けられ、前記駆動プレートは前記上部カバーに固定的に接続され、前記駆動プレートは前記ＬＥＤ光源と電気的に接続される駆動プレートと、を含む。
【考案の効果】
【００１４】
本出願にて提供されるシーリングランプの有益な効果は次のとおりであり、回転位置決め機構を採用し、回転位置決め機構の回動スライドレールと位置決め部材との間がスライド溝を介して相対的に回動でき、回動スライドレールを回動させることにより発光アセンブリをランプホルダーアセンブリに対して回動させて、発光アセンブリの発光面が天井の縁と平行になるまで発光アセンブリの角度を調節することで、発光アセンブリの発光面が天井の縁と面一になりにくいという技術的問題を解決し、シーリングランプの取り付けの一貫性と照明効果を確保する。
【図面の簡単な説明】
【００１５】
本出願の実施例における技術的解決手段をより明確に説明するために、以下は、実施例又は従来技術の説明に必要な図面を簡単に紹介し、明らかに、以下に記載の図面は、本出願のいくつかの実施例に過ぎず、当業者にとって、これらの図面を元に、他の図面を何ら創造的な作業なしに得ることができる。
【図１】本出願の実施例にて提供されるシーリングランプの立体構造概略図である。
【図２】本出願の実施例にて提供されるシーリングランプの爆発構造概略図である。
【図３】本出願の実施例にて提供されるシーリングランプの断面構造概略図である。
【図４】図３に示されるシーリングランプのＡ部分の部分拡大構造概略図である。
【図５】本出願の第１の実施例で採用される発光アセンブリとリセット部材の立体構造概略図である。
【図６】本出願の第２の実施例で採用される発光アセンブリとリセット部材の立体構造概略図である。
【図７】本出願の実施例にて提供されるランプホルダーアセンブリの爆発構造概略図である。
【図８】本出願の実施例にて提供される回動スライドレールの立体構造概略図である。
【考案を実施するための形態】
【００１６】
本出願によって解決されるべき技術的問題、技術的解決手段及び有益な効果をより明確にするために、以下は添付の図面及び実施例と併せて本出願についてさらに詳細に説明する。本明細書に記載される具体的な実施例は、本出願を解釈するためにのみ用いられ、本出願を限定することを意図しないことが理解されるべきである。
【００１７】
なお、要素が別の要素に「固定されている」又は「配置されている」と言われる場合、それは他の要素上に直接又は間接的にあってもよい。ある要素が別の要素に「接続されている」と言われる場合、それは、他の要素に直接又は間接的に接続されてもよい。
【００１８】
用語「長さ」、「幅」、「上」、「下」、「前」、「後」、「左」、「右」、「垂直」、「水平」、「頂部」、「底部」、「内側」、「外側」などの示す方位或いは位置関係は、図面に示される方位或いは位置関係に基づくものであり、本出願の説明を容易にし、説明を簡略化するためだけのものであり、言及された装置又は要素が特定の方位を有し、特定の方位で構築及び操作されなければならないことを指示又は暗示するものではないので、本出願に対する制限と理解してはならない。
【００１９】
さらに、用語「第１」、「第２」は説明の目的でのみ使用されており、相対的な重要性を指示又は暗示するか、或いは示された技術的特徴の数を黙示的に明示すると理解してはならない。そこで、「第１」、「第２」が限定されている特徴は、１つ又はより多くのこの特徴を含むことを明示又は暗示するのである。本出願の説明において、「複数」とは、特に明示しない限り、２つ又は２つ以上のことを意味する。
【００２０】
図１及び図２を併せて参照し、本出願の実施例にて提供されるシーリングランプについて説明する。
【００２１】
該シーリングランプは、ランプホルダーアセンブリ１と、発光アセンブリ２と、回転位置決め機構３と、を含む。回転位置決め機構３は、ランプホルダーアセンブリ１と発光アセンブリ２との間に設けられ、ランプホルダーアセンブリ１は発光アセンブリ２を天井に取り付けるために用いられる。
【００２２】
なお、以下の実施例は、主に、角形のＵＦＯランプなどの少なくとも１つのエッジを有するシーリングランプを対象としているが、他のランプにも適用できることは言うまでもない。取り付けの時にシーリングランプのエッジと天井の縁との間には角度があり、該シーリングランプのエッジが天井の縁と平行になるように回転位置決め機構３を調節する。
【００２３】
具体的には、回転位置決め機構３は位置決め部材３１と、回動スライドレール３２と、を含む。ここで、位置決め部材３１はランプホルダーアセンブリ１に接続され、回動スライドレール３２は発光アセンブリ２に接続され、回動スライドレール３２の周方向にスライド溝３２０が開設され、位置決め部材３１は、回動スライドレール３２と位置決め部材３１との間がスライド溝３２０を介して相対的に回動できるように、スライド溝３２０内にスライド可能に接続され、さらに、発光アセンブリ２の発光面が天井の縁と平行になるようにする。
【００２４】
従来技術に比べ、本出願にて提供されるシーリングランプは、一方では、回転位置決め機構３を採用し、該回転位置決め機構３の回動スライドレール３２と位置決め部材３１との間がスライド溝３２０を介して相対的に回動でき、回動スライドレール３２を回動させることにより発光アセンブリ２をランプホルダーアセンブリ１に対して回動させて、発光アセンブリ２の発光面が天井の縁と平行になるまで角度調節を行うことができ、発光アセンブリ２の発光面が天井の縁と面一になりにくいという技術的問題を解決し、該シーリングライトの取り付けの一貫性と照明効果を確保する。
【００２５】
本出願のほかの実施例では、図２及び図８を併せて参照し、該回動スライドレール３２は、位置決め溝３２２を含み、回動スライドレール３２に上記した位置決め溝３２２が開設され、かつ該位置決め溝３２２はスライド溝３２０の溝頂と連通しており、該位置決め溝３２２の形状は位置決め部材３１の形状に合わせ、位置決め部材３１は、発光アセンブリ２の上下振動を防止するように位置決め溝３２２内に位置規制される。
【００２６】
具体的には、位置決め溝３２２の形状は円弧溝であり、位置決め部材３１はネジなどの締結具であり、位置決め溝３２２の数は複数であり、複数の位置決め溝３２２が順次接続されることにより波溝を形成し、位置決め部材３１は各円弧溝内に位置規制されて、発光アセンブリ２が上下に振動することを防止すると共に、回動スライドレール３２が外力なしに位置決め部材３１に対して回転して発光アセンブリ２を回転させることを防止する。
【００２７】
本出願のほかの実施例では、図２、図５及び図６を参照し、回転位置決め機構３はリセット部材３３をさらに含み、該リセット部材３３の端部が発光アセンブリ２に接続され、リセット部材３３はランプホルダーアセンブリ１に当接して発光アセンブリ２の上下振動を防止する。該リセット部材３３は位置決め溝３２２に係合することにより、該シーリングランプの上下方向のがたつき防止効果が高い。
【００２８】
異なる構造を有するリセット部材３３に基づいて次の実施例を提供する。
【００２９】
（実施例１）
図５をさらに参照し、該リセット部材３３は折り曲げ部材であるスプリングシートであり、スプリングシートの端部は発光アセンブリ２に固定的に接続され、スプリングシートの折り曲げ部は、ランプホルダーアセンブリ１に当接することで、発光アセンブリ２の上下振動を防止することができる。本実施例では、スプリングシートの数は２つであり、２つのスプリングシートは発光アセンブリ２内に対称的に分布している。
【００３０】
（実施例２）
図６をさらに参照し、該リセット部材３３は圧縮スプリングであり、具体的には、発光アセンブリ２に該圧縮スプリングを載置するための取り付けポストが設けられ、取り付けポストの内部は中空であり、該圧縮スプリングを収容するために用いられる。本実施例では、圧縮スプリングの数は２つであり、２つの圧縮スプリングは発光アセンブリ２内に対称的に分布している。
【００３１】
本出願のほかの実施例では、図２及び図８を参照し、回動スライドレール３２にストッパ溝３２１がさらに設けられ、ストッパ溝３２１はスライド溝３２０の溝底と連通しており、位置決め部材３１はストッパ溝３２１内に位置規制される。ストッパ溝３２１の数は複数であり、複数のストッパ溝３２１は順次接続される。上記した実施例におけるシーリングランプと組み合わせると、その具体的な動作原理は次のとおりである。
【００３２】
先ず、ランプホルダーアセンブリ１を天井内に取り付け、次に、発光アセンブリ２を押圧し、リセット部材３３が力によって圧縮されると共に、位置決め部材３１がストッパ溝３２１内に位置規制され、この時、発光アセンブリ２とランプホルダーアセンブリ１との間が回転不能になり、次に、発光アセンブリ２を回転させ、ランプホルダーアセンブリ１が天井に固定されるまで、ランプホルダーアセンブリ１と発光アセンブリ２とが連動して回転する。取り付けが完了すると、手放し後、発光アセンブリ２は自重とリセット部材３３によりリセットされて発光アセンブリ２は自然状態にあり、発光アセンブリ２を回転させることにより角度回転を行い、所望の角度に到達すればよい。位置決め溝３２２、リセット部材３３の作用により、発光アセンブリ２の上下振動を回避すると共に、外力なしに発光アセンブリ２が回動することも回避する。リセット部材３３と回動スライドレール３２により９０度以内の回転を行い、ランプホルダーアセンブリ１と発光アセンブリ２との間の平行位置合わせを実現し、発光アセンブリ２と天井エッジとの平行も実現することができる。
【００３３】
本出願のほかの実施例では、図２を参照し、回動スライドレール３２の数は２つであり、２つの回動スライドレール３２は、ランプホルダーアセンブリ１と発光アセンブリ２との間に対称的に分布しており、位置決め部材３１の数は２つであり、位置決め部材３１は回動スライドレール３２に１対１に対応しており、２つの回動スライドレール３２を使用することにより発光アセンブリ２とランプホルダーアセンブリ１との間の相対的な回動を比較的安定化させる。
【００３４】
さらに、本実施例では、回動スライドレール３２は円弧状のプレート構造をしており、各回動スライドレール３２に１つのスライド溝３２０がそれぞれ設けられ、該スライド溝３２０の形状は円弧状であり、２つの回動スライドレール３２のスライド溝３２０の円弧中心が一致している。
【００３５】
本出願のほかの実施例では、図２、図３、図４及び図７を参照し、ランプホルダーアセンブリ１は、シート本体１１及び取り付け部材１２を含む。ここで、シート本体１１は本体部１１１及び本体部１１１から発光アセンブリ２に向かって折り曲げられて延伸する２つの延伸部１１２を含み、回動スライドレール３２は２つの延伸部１１２の間隔に挿設され、位置決め部材３１は２つの延伸部１１２に穿設され、かつ回動スライドレール３２のスライド溝３２０内にスライド可能に接続される。取り付け部材１２は本体部１１１に穿設され、シート本体１１を取り付け位置に取り付けるために用いられる。具体的には、本体部１１１はプレート状であり、延伸部１１２はリング状であり、２つの延伸部１１２の間に間隔がある。
【００３６】
取り付け部材１２の数は２つであり、シート本体１１を天井に安定して取り付けるのに便利であり、該取り付け部材１２はフック状であり、シート本体１１を天井に吊り上げるために用いられる。
【００３７】
本出願のほかの実施例では、図２、図３及び図７を参照し、シーリングランプは駆動アセンブリ２１をさらに含み、駆動アセンブリ２１は、回動スライドレール３２の、ランプホルダーアセンブリ１と背向する一端に係合され、リセット部材３３の端部は駆動アセンブリ２１に接続される。発光アセンブリ２は、上部カバー２２と、導光プレート２３と、ＬＥＤ光源２４と、を含む。ここで、上部カバー２２は、駆動アセンブリ２１の、ランプホルダーアセンブリ１と背向する一端に設けられ、かつ駆動アセンブリ２１に固定的に接続される。導光プレート２３は駆動アセンブリ２１と上部カバー２２との間に設けられ、かつ上部カバー２２に固定的に接続される。導光プレート２３はリング状であり、ＬＥＤ光源２４は導光プレート２３の内側に環設される。
【００３８】
具体的には、ＬＥＤ光源２４は、第１光源２４１と、第２光源２４２と、取り付けシート２５と、反射紙２６と、を含む。取り付けシート２５は階段状で、金属材質で放熱可能であり、第１光源２４１と第２光源２４２はリング状で、取り付けシート２５にそれぞれ順次環設され、取り付けシート２５には反射紙２６が設けられ、反射紙２６は取り付けシート２５の段差面に設けられ、かつ導光プレート２３の、上部カバー２２と背向する一面と面一に設けられ、第１光源２４１及び第２光源２４２の光線利用率を向上させるために用いられる。
【００３９】
さらに、本実施例では、シーリングランプは上部カバー２２の中心に配置された感知レンズ４１をさらに含む。上部カバー２２に取り付けプレート４２が設けられ、取り付けプレート４２の、上部カバー２２に向かう側に人体感知センサ４３が設けられ、人体感知センサ４３に感知レンズ４１が蓋設される。該人体感知センサ４３は、赤外線人体感知センサ又はマイクロ波感知センサであり、赤外線人体感知センサは、赤外線技術に基づく自動制御製品であり、人が感知範囲に入ると、該赤外線人体感知センサは人体赤外線スペクトルの変化を検知し、ＬＥＤ光源２４は自動的にオンになり、人が感知範囲から離れないときはオンを続け、人が離れると遅れて自動的にオフになる。マイクロ波人体感知センサは、マイクロ波技術による自動制御で、感度が高く、信頼性が高く、インテリジェント化され、人間性に優れる。具体的には、取り付けプレート４２と上部カバー２２との間は、ネジなどの締結具により接続される。本出願のほかの実施例では、図２及び図３を参照し、駆動アセンブリ２１は、駆動ボックス２１１及び駆動プレート２１２を含む。ここで、駆動ボックス２１１は、回動スライドレール３２の、ランプホルダーアセンブリ１と背向する一端に係合され、リセット部材３３の端部は駆動ボックス２１１に溶接され、駆動プレート２１２は駆動ボックス２１１内に設けられ、駆動プレート２１２は上部カバー２２に固定的に接続される。
【００４０】
上述した内容は、本出願の好ましい実施例に過ぎず、本出願を限定するためのものではなく、本出願の趣旨及び原則の範囲内でなされた補正、同等な差し替え及び改善などは、いずれも本出願の保護範囲に含まれるべきである。
【符号の説明】
【００４１】
１    ランプホルダーアセンブリ
１１    シート本体
１１１    本体部
１１２    延伸部
１２    取り付け部材
２    発光アセンブリ
２１    駆動アセンブリ
２１１    駆動ボックス
２１２    駆動プレート
２２    上部カバー
２３    導光プレート
２４    ＬＥＤ光源
２４１    第１光源
２４２    第２光源
２５    取り付けシート
２６    反射紙
３    回転位置決め機構
３１    位置決め部材
３２    回動スライドレール
３２０    スライド溝
３２１    ストッパ溝
３２２    位置決め溝
３３    リセット部材
４１    感知レンズ
４２    取り付けプレート
４３    人体感知センサ
【図１】
0003229479.tif 000003
【図２】
0003229479.tif 000004
【図３】
0003229479.tif 000005
【図４】
0003229479.tif 000006
【図５】
0003229479.tif 000007
【図６】
0003229479.tif 000008
【図７】
0003229479.tif 000009
【図８】
0003229479.tif 000010